(57)【要約】【課題】簡便なメンテナンス作業性，安全性を確保して盤扉の吸気口に配したエアフィルタを交換可能に保持するエアフィルタ支持装置を提供する。【解決手段】盤扉１の下部に開口した吸気口１ａに対向して盤扉の背面側に設置した断面凹形のフィルタ保持枠２と、盤扉１の前方側からフィルタ保持枠２に嵌合して前傾可能に連結したフィルタカバー３と、該フィルタカバー３を閉位置で盤扉１に係止するファスナ（パチン錠）５とでフィルタ支持装置を構成し、前記フィルタカバー３とフィルタ保持枠２との間にマット状のエアフィルタ４を介装して挟持保持する。【選択図】図１
2012044779.tif 000002
【特許請求の範囲】
【請求項１】
配電盤の盤扉に装備して盤扉の吸気口に配したエアフィルタを交換可能に保持するエアフィルタ支持装置であって、前記吸気口に対向して盤扉の背面側に設置した断面凹形のフィルタ保持枠と、盤扉の前方側から前記フィルタ保持枠に嵌合して前傾可能に連結したフィルタカバーと、該フィルタカバーを閉位置で盤扉に係止するファスナとの組立体になり、前記フィルタカバーとフィルタ保持枠との間にマット状のエアフィルタを介装して保持することを特徴とする配電盤のエアフィルタ支持装置。
【請求項２】
請求項１に記載のエアフィルタ支持装置において、フィルタカバーはその前面に多数の通気穴を開口し、かつその下端縁に形成した左右一対の係合爪をフィルタ保持枠に穿設した係合溝に差し込んで傾動可能に連結したことを特徴とする配電盤のエアフィルタ支持装置。
【請求項３】
請求項１に記載のエアフィルタ支持装置において、ファスナがワンタッチ操作で係脱可能なパチン錠であることを特徴とする配電盤のエアフィルタ支持装置。
【発明の詳細な説明】
【技術分野】
【０００１】
本発明は、インバータ制御盤など対象とする配電盤の筐体に装備した換気用エアフィルタの支持装置に関する。
【背景技術】
【０００２】
周知のように、頭記のインバータ制御盤では、盤内に収設したパワー半導体モジュールを風冷するために、盤扉の下部に開口する吸気口を通じて周囲から取り込んだ冷却空気を盤内に導風し、盤天井の排気口より排気して盤内空間を換気するようにしており、かつ前記吸気口にはエアフィルタを装着して盤内に取り込む空気を除塵するようにしている（例えば、特許文献１参照）。
【０００３】
また、前記エアフィルタについては、定期的に新しいフィルタと交換する必要があることから、そのメンテナンス作業性を考慮して盤扉を閉じたままの運転状態でエアフィルタの交換が行えるようにした方式のフィルタ支持装置が従来より提案されており、その一例として特許文献１には、盤扉に開口した吸気口に扉前方側へ傾動可能にヒンジ結合したフィルタ枠を配置し、このフィルタ枠にカセット式フィルタを扉前方側から挿入セットするようにしたフィルタ支持装置が開示されている。
【０００４】
また、前記とは別な方式の支持装置として、盤扉に開口した吸気口に対して扉の前面側に額縁状の支持枠、および該支持枠の下端に蝶番を介して前方側へ開閉可能にヒンジ結合した蓋体を設け、この蓋体の板面には多数の吸気穴を穿設して上で、その内面側にエアフィルタを取り付けて保持するようにしたフィルタ支持装置も知られている（例えば、特許文献２参照）。
【先行技術文献】
【特許文献】
【０００５】
【特許文献１】特開平５−１８４０１９号公報
【特許文献２】特開平９−９３７２８号公報
【発明の概要】
【発明が解決しようとする課題】
【０００６】
前記した特許文献１，特許文献２に開示されているエアフィルタの支持装置は、いずれも配電盤の盤扉を閉じたままの状態でエアフィルタの交換作業を行うことができるものの、なお次記のような問題点が残る。すなわち、
（１）特許文献１に開示の構造では、フィルタ枠の上下中間部を軸支点として盤扉の吸気口にヒンジ結合しており、フィルタ交換時にフィルタ枠を前傾姿勢に傾動すると、該フィルタ枠の下端側が盤内に突き出すようになる。このために、盤扉の内側近くに機器が配置されていると、該機器，ないしその配線経路にフィルタ枠が触れたりするおそれがある。その他、エアフィルタには専用のカセット式フィルタを採用しているので、一般に市販されているマット状のフィルタを適宜のサイズに裁断して使用することができない不便さがある。
（２）また、特許文献２に開示の構造では、エアフィルタを保持する蓋体、およびその支持枠が盤扉の扉面から前方に突き出して設置されているため、配電盤の据付現場で盤の前面通路が狭いと、盤扉から通路側に突き出した前記蓋体に足を引っ掛けて保守員が躓いたりする危険があるし、またデザイン的にもフィルタ支持装置が盤扉から局部的に前方に突き出していると外観上の体裁が損なわれる問題もある。
【０００７】
この発明は上記の点に鑑みなされたものであり、その目的は前記課題を解消してメンテナンス性，安全性の向上が図れるように改良した配電盤のエアフィルタ支持装置を提供することにある。
【課題を解決するための手段】
【０００８】
上記目的を達成するために、本発明によれば、盤扉の下部に開口した吸気口に対向して盤扉の背面側に設置した断面凹形のフィルタ保持枠と、盤扉の前方側から前記フィルタ保持枠に嵌合して前傾可能に連結したフィルタカバーと、該フィルタカバーを閉位置で盤扉に係止するファスナとでフィルタ支持装置を構成し、前記フィルタカバーとフィルタ保持枠との間にマット状のエアフィルタを介装して保持する（請求項１）。
【０００９】
前記構成において、フィルタカバーはその前面に多数の通気穴を開口し、かつその下端縁に形成した左右一対の係合爪をフィルタ保持枠に穿設した係合溝に差し込んで傾動可能にヒンジ結合する（請求項２）。
【００１０】
また、前記のファスナには、ワンタッチ操作で係脱可能なパチン錠を採用する（請求項３）。
【発明の効果】
【００１１】
上記の構成によれば、従来構造のフィルタ支持装置と比べて次記のような効果が得られる。
（１）エアフィルタの交換に際してカバー枠を扉前方に開いた状態でも、盤内に収納した機器との干渉のおそれは全くなく、フィルタ交換作業を安全に行うことができる。
（２）エアフィルタの支持状態では、フィルタ保持枠，フィルタカバーは盤扉の扉面から前方の通路側に突き出ることがないので、物が引っ掛かったり、保守員が躓いたりするおそれがなく、かつデザイン的にもスッキリした外観となる。
【図面の簡単な説明】
【００１２】
【図１】本発明の実施例によるエアフィルタ支持装置の構造図であって、（ａ）はフィルタ交換時，（ｂ）は交換後の実使用状態を表す側視断面図である。
【図２】図１の正面図である。
【発明を実施するための形態】
【００１３】
以下、本発明の実施の形態を図１（ａ），（ｂ）および図２に示す実施例に基づいて説明する。
図において、１は配電盤の盤扉、１ａは盤との下部に開口した吸気口（方形穴）、２は吸気口１ａに対向して盤内側から盤扉１の裏面に固着したフィルタ保持枠、３は盤扉１の前方側から前記フィルタ保持枠２に嵌合したフィルタカバー、４はフィルタカバー３とフィルタ保持枠３との間に介装して保持したマット状のエアフィルタ、５はフィルタカバー３の上端を盤扉１に係止するファスナ（パチン錠）、５ａはパチン錠のキーパーである。
【００１４】
ここで、フィルタ保持枠２は側面から見て断面凹形のフレーム構造になり、その背面にはエアフィルタ４を保持位置に押え付けて支える例えば十文字状の枠が形成されている。また、該保持枠の下端部には後記するフィルタカバー３の係合爪を差し込んでヒンジ連結する左右一対の係合溝２ａが穿設されている。
【００１５】
一方、フィルタカバー３は前記フィルタ保持枠２の内側に嵌まり合う外形サイズに板金加工された台形板であり、その下端縁には前記係合溝２ａに差し込んでフィルタ保持枠２に対して傾動可能にヒンジ連結する左右一対の係合爪３ａを突設し、かつ前面には多数の通気穴（パンチング穴）３ｂが碁盤目状に穿孔されている。
【００１６】
また、図示例のファスナ５には、通称“パチン錠”と呼ばれるキャッチクリップが採用されているが、例えばスナップ式クリップ，あるいは締結ネジを採用してもよい。
上記の構成で、配電盤の運転中にエアフィルタ４を交換するには、まずファスナ５を釈放した上で、図１（ａ）のようにフィルタカバー３を盤扉１の前方側に倒し、この状態でエアフィルタ４を新しいフィルタに差し替える。なお、このエアフィルタ４は一般に市販されているマット状のフィルタをフィルタカバー３の内周サイズに合わせて裁断したものを使用する。
【００１７】
そして、エアフィルタ４を差し替えた後は、先記した下端縁の係合爪３ａを支点にフィルタカバー３をフィルタ保持枠２の内側に押し込んでエアフィルタ４を保持枠２とフィルタカバー３との間に挟持する。最後にファスナ５をキーパー５ａに係止してフィルタの交換作業が完了する。
【００１８】
上記の説明で判るように、盤扉１を閉じたままの状態でエアフィルタ４の交換作業を行うことができる。しかも、当該フィルタ支持装置は盤扉１の扉面から前方に突き出してないので、保守員が躓いたり、物が引っ掛かったりするおそれはなく、かつデザイン的にもスッキリした外観となる。
【符号の説明】
【００１９】
１    盤扉
１ａ  吸気口
２    フィルタ保持枠
２ａ  係合溝
３    フィルタカバー
３ａ  係合爪
４    エアフィルタ
５    ファスナ（パチン錠）
【図１】
2012044779.tif 000003
【図２】
2012044779.tif 000004